(57)【要約】【課題】移動する物体等の動画撮影にも対応でき、且つ高輝度被写体の色バランスを損なわずにダイナミックレンジの広い画を撮影可能な撮像装置を得ることを実現する。【解決手段】撮像装置において、受光素子１０８と、前記受光素子の電荷蓄積部の容量が変更する変更部１０４、１０５とを含む画素がマトリクス平面に配置される撮像素子４０２と、前記撮像素子の情報から前記画素が閾値に達している領域を高輝度領域に設定する設定部４０６と、を備え、前記変更部１０４，１０５は、前記高輝度領域に設定された前記撮像素子４０２の前記受光素子１０８の電荷蓄積部の容量を変更し、前記設定部４０６は、前記高輝度領域を隔てる間隔領域がある場合であって、且つ前記間隔領域が前記マトリクス平面の縦軸方向又は横軸方向に対して、一定の間隔で、前記高輝度領域を隔てる場合に、前記間隔領域も前記高輝度領域として設定する、ことを特徴とする。【選択図】  図１
2018037740.tif 000002
【特許請求の範囲】
【請求項１】
撮像装置であって、
受光素子と、前記受光素子の電荷蓄積部の容量が変更する変更部とを含む画素がマトリクス平面に配置される撮像素子と、
前記撮像素子の情報から前記画素が閾値に達している領域を高輝度領域に設定する設定部と、
を備え、
前記変更部は、前記高輝度領域に設定された前記撮像素子の前記受光素子の電荷蓄積部の容量を変更し、
前記設定部は、前記高輝度領域を隔てる間隔領域がある場合であって、且つ前記間隔領域が前記マトリクス平面の縦軸方向又は横軸方向に対して、一定の間隔で前記高輝度領域を隔てる場合に、前記間隔領域も前記高輝度領域として設定する、
ことを特徴とする撮像装置。
【請求項２】
前記設定部は、前記間隔領域が前記マトリクス平面の縦軸方向及び横軸方向に対して、一定の間隔で前記高輝度領域を隔てる場合に、前記間隔領域も前記高輝度領域として設定する
ことを特徴とする、請求項１に記載の撮像装置。
【請求項３】
前記一定の間隔とは、前記高輝度領域のうち、前記縦軸方向又は前記横軸方向に対する幅をＸとし、前記間隔領域で同軸方向に対応する幅をＸ´とするとき、式１のＲ１の値が１以下である場合に、前記間隔領域も前記高輝度領域に設定する
ことを特徴とする、請求項１又は請求項２に記載の撮像装置。
【数１】
2018037740.tif 000005
【請求項４】
前記Ｒ１の値が、０．５である場合に、前記間隔領域も前記高輝度領域に設定することを特徴とする、請求項３に記載の撮像装置。
【請求項５】
前記Ｒ１の値が、０．２である場合に、前記間隔領域も前記高輝度領域に設定することを特徴とする、請求項３に記載の撮像装置。
【請求項６】
前記設定部は、前記間隔領域が前記高輝度領域に上下左右全て囲まれている場合に、前記間隔領域も前記高輝度領域として設定する、
ことを特徴とする、請求項１に記載の撮像装置。
【請求項７】
前記設定部は、前記間隔領域が前記高輝度領域に上下左右全て囲まれている場合であって、且つ前記高輝度領域の面積をＹとし、前記間隔領域の面積をＹ´とするとき、式２のＲ２の値が１以下である場合に、前記間隔領域も前記高輝度領域に設定する、
ことを特徴とする、請求項１に記載の撮像装置。
【数２】
2018037740.tif 000006
【請求項８】
前記設定部は、前記間隔領域が前記高輝度領域に上下左右全て囲まれている場合であって、且つ前記高輝度領域のうち、上下又は左右の幅の和をＸとし、前記間隔領域で同方向に対応する幅をＸ´とするとき、式１のＲ１の値が１以下である場合に、前記間隔領域も前記高輝度領域に設定する、
ことを特徴とする、請求項１に記載の撮像装置。
【数１】
2018037740.tif 000007
【発明の詳細な説明】
【技術分野】
【０００１】
本発明は、イメージセンサを有する撮像装置に関する。
【背景技術】
【０００２】
ダイナミックレンジの幅が狭いイメージセンサを有する撮像装置においては、黒潰れ現象や白飛び現象を防ぐため、ハイダイナミックレンジ合成（ＨＤＲ合成）する技術や高輝度判定された画素に対し静電容量を大きくする技術が普及している。
【０００３】
例えば、特許文献１には、露光時間の異なる映像を時間差で撮影し、２枚の画像を合成する方法が記載されている。また、特許文献２には、高輝度を検出した場合に、フォトダイオード（ＰＤ）が出力する電荷を蓄積するフローティングディフュージョン（ＦＤ）の静電容量を大きくする方法が記載されている。
【先行技術文献】
【特許文献】
【０００４】
【特許文献１】特開２００３−１６３８３１号公報
【特許文献２】特開２０１３−１９２０５８号公報
【発明の概要】
【発明が解決しようとする課題】
【０００５】
しかしながら、例えば、特許文献１で移動する物体等の動画を撮影する場合には、合成される２枚の画像において高輝度部と低輝度部の位置がずれ、自然な画にならず、見栄えが悪くなる。また、特許文献２では、撮像装置において高輝度判定用の測光センサとイメージセンサの搭載位置が実際には異なるため、高輝度判定された画素の位置と、イメージセンサ上の高輝度画素の位置がずれて、厳密に対応できない。
【０００６】
また、特許文献２等の高輝度判定は、センサ出力レベルが予め設定された閾値を超えた際にその画素を高輝度画素と判定している。ここで、図７を参照して、カラーイメージセンサのベイヤー配列における一般的な高輝度判定について説明する。ここでは、縦軸に画素の出力レベル、横軸に露光時間を示している。
【０００７】
図８に示す様にベイヤー配列では、緑を示すＧ画素６０１は、赤を示すＲ画素６０２の２倍多く存在する。そのため、白い被写体を撮影し、被写体の輝度が上がっていくと、Ｇ画素６０１は、Ｒ画素６０２よりも先に飽和する。結果、Ｇ画素６０１だけが高輝度画素と判定され、Ｇ画素６０１のみ白飛びを抑圧すると、Ｒ画素６０２やＢ画素との色バランスが崩れ、高輝度領域の色が斑になってしまう。
【０００８】
本発明は、上記課題に鑑みてなされ、その目的は、移動する物体等の動画撮影にも対応でき、且つ高輝度被写体の色バランスを損なわずにダイナミックレンジの広い画を撮影可能な撮像装置を提供することである。
【課題を解決するための手段】
【０００９】
上記課題を解決し、目的を達成するために、本発明の撮像装置は、受光素子と、前記受光素子の電荷蓄積部の容量が変更する変更部とを含む画素がマトリクス平面に配置される撮像素子と、前記撮像素子の情報から前記画素が閾値に達している領域を高輝度領域に設定する設定部と、を備え、前記変更部は、前記高輝度領域に設定された前記撮像素子の前記受光素子の電荷蓄積部の容量を変更し、前記設定部は、前記高輝度領域を隔てる間隔領域がある場合であって、且つ前記間隔領域が前記マトリクス平面の縦軸方向又は横軸方向に対して、一定の間隔で前記高輝度領域を隔てる場合に、前記間隔領域も前記高輝度領域として設定する、ことを特徴とする。
【発明の効果】
【００１０】
本発明によれば、移動する物体等の動画撮影にも対応でき、且つ高輝度被写体の色バランスを損なわずにダイナミックレンジの広い画を撮影可能な撮像装置を得ることができる。
【図面の簡単な説明】
【００１１】
【図１】実施形態の画素の等価回路図。
【図２】実施形態の高輝度レベルに達しない画素が含まれる場合を説明した図。
【図３】実施形態における高輝度領域設定部が高輝度領域を設定するフローチャートの前半。
【図４】実施形態における高輝度領域設定部が高輝度領域を設定するフローチャートの後半。
【図５】実施形態における撮像装置全体のブロック図。
【図６】高感度モードのＯＮ状態とＯＦＦ状態の感度差を説明する図。
【図７】Ｇ画素、Ｒ画素の感度を説明する図。
【図８】ベイヤー配列の説明図。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１３】
（実施形態）
まず、図５を参照して、実施形態１の構成を説明する。実施形態１における撮像装置は、光学系４０１、イメージセンサ４０２、ＡＤ変換器４０３、画像処理部４０４、映像出力部４０５、高輝度領域の設定部４０６、タイミングジェネレータ（ＴＧ）４０７から構成される。イメージセンサ４０２は、カラーイメージセンサであり、ＣＭＯＳイメージセンサであるが、以下では単にイメージセンサと呼ぶ。
【００１４】
更に、光学系４０１は、不図示のズーム機構部、フォーカス機構部を備える。光学系４０１から入射した光は、撮像素子であるイメージセンサ４０２の受光面で結像する。
【００１５】
ここで、図８を参照して、このイメージセンサ４０２における画素配列を説明する。イメージセンサ４０２には、緑（Ｇ）画素、赤（Ｒ）画素、青（Ｂ）画素がベイヤー配列と呼ばれる配列でマトリクス状に配置されている。露光期間内にイメージセンサ４０２の受光面で結像した光は各画素でＲＧＢの色信号として輝度レベルに応じた電圧の強弱によるＲＧＢアナログ信号に変換される。
【００１６】
ＲＧＢアナログ信号はＡＤ変換部４０３においてＲＧＢデジタル信号へ変換され、画像処理部４０４へ送られる。画像処理部４０４では、ＲＧＢデジタル信号に対しオプティカルブラック（ＯＢ）クランプ処理やノイズリダクション処理等の補正処理を行った後、ホワイトバランスやガンマ処理等の色調整や輝度調整を行い、ＹＰｂＰｒ信号の映像信号を生成する。
【００１７】
画像処理部４０４は、各画素の出力レベルを確認し、露光期間で一定の閾値に達している画素を飽和画素、すなわち高輝度画素として常時検出する検出部である。飽和画素を検出した場合、イメージセンサ上の座標を高輝度領域の設定部４０６へ送信する。高輝度領域の設定部４０６では、飽和画素の座標情報をもとに、高輝度領域を設定すべき範囲を演算により設定する。高輝度領域の設定については後の段落にて詳述する。
【００１８】
また、ＴＧ４０７は高輝度領域の設定部４０６で設定されたイメージセンサの高輝度領域の画素に対し、高飽和モードへ移行するように制御し、イメージセンサの画素が飽和状態となるのを抑制する。高飽和モードについては後の段落にて詳述する。
【００１９】
一方、画像処理４０４で処理された映像信号は映像出力部４０５へ送られ、ハイディフィニション−シリアルデジタルインターフェイス（ＨＤ−ＳＤＩ）信号に変換され外部へ出力される。
【００２０】
次に、図１を参照して、イメージセンサ４０２における一画素の等価回路を説明する。イメージセンサ４０２の等価回路は、モード（ＭＯＤＥ）端子１０１、リセット端子１０２、モス・エフイーティー（ＭＯＳＦＥＴ）、フローティングディフュージョン（ＦＤ）１０４、拡張ＦＤ１０５、フォトダイオード（ＰＤ）１０８、端子１０９、ラインセレクト端子１１０、出力アンプ１１４等から構成される。モス・エフイーティー（ＭＯＳＦＥＴ）には、１０３、１０６、１０７、１１１、１１２、１１３がある。
【００２１】
モス・エフイーティー（ＭＯＳＦＥＴ）１０３、１０６、１０７、１１１、１１２、１１３は電界効果トランジスタの一種である。ＰＤ１０８は露光期間の光を電気に変換する光電変換を行い、電荷をＰＤ１０８に蓄積する受光素子である。端子１０９がＨＩＧＨになると、ＭＯＳＦＥＴ１１１がＯＮ状態となり、ＰＤ１０８に蓄積された電荷がＦＤ１０４へ出力される。ＦＤ１０４は標準ＦＤである。ＰＤ１０８から出力された電荷は、標準ＦＤ１０４で電圧に変換され、ＭＯＳＦＥＴ１０７を介して画素の電圧信号として出力される。
【００２２】
リセット端子１０２は標準ＦＤ１０４及び拡張ＦＤ１０５をリセットする。リセット端子１０２がＨＩＧＨになるとＭＯＳＦＥＴ１０３、１０６がＯＮ状態となり、標準ＦＤ１０４及び拡張ＦＤ１０５に蓄積された電荷がリセットされる。
【００２３】
ラインセレクト端子１１０は、ラインの本数だけ配置されている。ラインセレクト端子１１０がＨＩＧＨになるとＭＯＳＦＥＴ１１２がＯＮ状態となり、ＭＯＳＦＥＴ１０７からの電圧信号が出力され、出力アンプ１１４で増幅されたのち出力される。ＭＯＤＥ端子１０１はラインセレクト端子１１０とＡＮＤ回路で接続され、両方がＨＩＧＨになるとＭＯＳＦＥＴ１０６がＯＮ状態となり、拡張ＦＤ１０５が標準ＦＤ１０４とパラレルに接続された状態となる。この様にして、電荷蓄積部の容量を変更する変更部が形成される。
【００２４】
（高飽和モード）
ＦＤ容量（静電容量）が増大すると、
Ｑ＝ＣＶ  （Ｑ：電荷［Ｃ］、Ｃ：静電容量［Ｆ］、Ｖ：電圧［Ｖ］）
より、フォトダイオードから出力される電荷Ｑが一定でも、電圧出力Ｖは低くなる。本件ではこのＦＤ容量が増大したモードを高飽和モードと名付ける。
【００２５】
図６を参照して、高飽和モードがＯＮ状態の場合とＯＦＦ状態の場合の出力レベルについて説明する。横軸が受光強度、縦軸が出力レベルである。グラフ５０１は高飽和モードがＯＦＦ状態の場合、グラフ５０２は高飽和モードがＯＮ状態の場合である。
【００２６】
本実施形態では、高飽和モードをＯＮ状態とすることにより、ＦＤの静電容量成分が倍になるように設定してあるため、高飽和モードがＯＮ状態のグラフの傾きは、ＯＦＦ状態のグラフの傾きに比べ１／２になっている。つまり、高飽和モードがＯＮ状態では、出力レベルが下がる。
【００２７】
図６に示す通り、高飽和モードをＯＮ状態とすることにより、標準ＦＤ１０４，拡張ＦＤ１０５での飽和および後段の出力アンプ１１４の飽和を抑圧することが可能になる。
【００２８】
ＭＯＤＥ端子１０１は列毎に配置されており、ラインセレクト端子１１０とともに使用することで、ＣＭＯＳイメージセンサ内のすべての画素の拡張ＦＤ１０５を個別にコントロールすることができる。
【００２９】
次に、図２を参照して、高輝度レベルに達しない画素が含まれる場合について説明する。２０１は、ユーザが室内の人と窓外の車を撮影する場面である。室内の人に輝度レベルを合わせた場合、窓外は非常に明るいため、窓外に対応するイメージセンサの画素は殆ど全て飽和する。但し、窓外の撮影対象のうち、被写体の色が黒等の暗色を有する部分は、反射率が低いため、窓外に対応するイメージセンサのうちの一部は飽和しないことがある。
【００３０】
２０２は、そのときのイメージセンサの様子を拡大したものである。タイヤ２０３などの反射率の低い材質の部分ではイメージセンサの画素が高輝度レベルに達しない。この状況で高輝度レベルに達している画素だけを高飽和モードにすると、暗色を有するタイヤ以外の部分の画素が高飽和モードとなり、出力レベルが下がり暗く映る。しかしその一方で、タイヤの部分の画素は通常モードで出力レベルが維持されるので相対的に明るく映り、窓外の全体的な景色が違和感のある見栄えとなってしまう。
【００３１】
（高輝度領域の設定）
そこで、高輝度領域の設定部４０６においては、高輝度と判定された画素で上下左右を囲まれた画素を、高輝度レベルに達していなくても高輝度と擬制し、高輝度領域を設定する。そしてこの高輝度領域を飽和モードに変更するように、タイミングジェネレータ（ＴＧ）へ情報を送る。
【００３２】
図３及び４のフローチャートを参照して、高輝度領域の設定部４０６が高輝度領域を設定する様子について説明する。ステップＳ３００で判定する画素（以下、判定画素と呼ぶ）の座標を(０，０)に初期化する。ステップＳ３０１で、判定画素が高輝度レベルに達しているか否かを判断する。ステップＳ３０１がＹＥＳの場合は、ステップＳ３１８で高飽和モードに変更される。ステップＳ３０１がＮＯの場合は、処理ブロック３２３、３２４、３２５、３２６へ移行する。ここで、処理ブロック３２３、３２４、３２５、３２６は、それぞれ判定画素の左側、右側、上側、下側の高輝度レベル確認処理ブロックとなっている。
【００３３】
まず、処理ブロック３２３のフローを説明する。ステップＳ３０２では、調査画素の座標を初期化している。調査画素とは、判定画素の上下左右の画素のことであり、これらの調査画素が高輝度レベルに達しているかによって判定画素を高飽和モードにするか否かを決定する。
【００３４】
ステップＳ３０３では、現在の調査画素座標の左側を次の調査画素座標に設定している。ステップＳ３０４では、調査画素座標が判定画素よりも一定以上離れているか又は端の画素かを確認する。ここで、ＹＥＳなら左側には高輝度レベルに達している画素がないと判断し、ステップＳ３１９に処理を移す。調査画素座標が判定画素よりも一定以上離れておらず且つ端の画素でもない場合には、ＮＯと判断され、ステップＳ３０５へ処理を移す。
【００３５】
ステップＳ３０５では、調査画素が高輝度レベルに達しているかを判断し、達していなかったらステップＳ３０３へ処理を戻す。調査画素が高輝度レベルに達している場合には、処理ブロック３２４へ処理が移行する。
【００３６】
次に、処理ブロック３２４のフローを説明する。ステップＳ３０６では、調査画素の座標を初期化している。
【００３７】
ステップＳ３０７では、現在の調査画素座標の右側を次の調査画素座標に設定している。ステップＳ３０８では、調査画素座標が判定画素よりも一定以上離れているか又は端の画素かを確認する。ここで、ＹＥＳなら右側には高輝度レベルに達している画素がないと判断し、ステップＳ３１９に処理を移す。調査画素座標が判定画素よりも一定以上離れておらず且つ端の画素でもない場合には、ＮＯと判断され、ステップＳ３０９へ処理を移す。
【００３８】
ステップＳ３０９では、調査画素が高輝度レベルに達しているかを判断し、達していなかったらステップＳ３０７へ処理を戻す。調査画素が高輝度レベルに達している場合には、処理ブロック３２５へ処理が移行する。
【００３９】
次に、処理ブロック３２５のフローを説明する。ステップＳ３１０では、調査画素の座標を初期化している。
【００４０】
ステップＳ３１１では、現在の調査画素座標の上側を次の調査画素座標に設定している。ステップＳ３１２では、調査画素座標が判定画素よりも一定以上離れているか又は端の画素かを確認する。ここで、ＹＥＳなら上側には高輝度レベルに達している画素がないと判断し、ステップＳ３１９に処理を移す。調査画素座標が判定画素よりも一定以上離れておらず且つ端の画素でもない場合には、ＮＯと判断され、ステップＳ３１３へ処理を移す。
【００４１】
ステップＳ３１３では、調査画素が高輝度レベルに達しているかを判断し、達していなかったらステップＳ３１１へ処理を戻す。調査画素が高輝度レベルに達している場合には、処理ブロック３２６へ処理が移行する。
【００４２】
次に、処理ブロック３２６のフローを説明する。ステップＳ３１４では、調査画素の座標を初期化している。
【００４３】
ステップＳ３１５では、現在の調査画素座標の下側を次の調査画素座標に設定している。ステップＳ３１６では、調査画素座標が判定画素よりも一定以上離れているか又は端の画素かを確認する。ここで、ＹＥＳなら下側には高輝度レベルに達している画素がないと判断し、ステップＳ３１９に処理を移す。調査画素座標が判定画素よりも一定以上離れておらず且つ端の画素でもない場合には、ＮＯと判断され、ステップＳ３１７へ処理を移す。
【００４４】
ステップＳ３１７では、調査画素が高輝度レベルに達しているかを判断し、達していなかったらステップＳ３１５へ処理を戻す。調査画素が高輝度レベルに達している場合には、ステップＳ３１８へ処理が移行する。
【００４５】
ステップＳ３１８では、判定画素を高飽和モードへ変更した後、処理をステップＳ３１９に移す。ステップＳ３１９では、判定画素座標を一つ右へ設定する。
【００４６】
次に、ステップＳ３２０では、判定画素が右端であるかを確認する。右端である場合には、ステップＳ３２１へ、右端でない場合にはステップＳ３０１へ移行し、再度判定を開始する。
【００４７】
ステップＳ３２１では、判定画素座標を左端、一行下の画素に設定する。ステップＳ３２２では、判定画素が下端であるかを確認する。下端である場合にはフローを終了し、下端でない場合にはステップＳ３０１へ移行し、再度判定を開始する。
【００４８】
ステップＳ３０４、３０８、３１２、３１６において、判定画素から一定の間隔内の画素数を閾値としているが、本実施形態においては、例えば、判定画素から２００画素以上の画素数を閾値とする。
【００４９】
尚、この閾値は外部から変更可能であり、シチュエーションや用途に合わせて変更できる。
【００５０】
上記に示した処理ステップにより、高輝度領域の設定部４０６において、高輝度レベルに達している画素で上下左右を挟まれた画素は、高輝度レベルに達していなくとも、高輝度画素であると擬制され、高飽和モードへ変更される。これにより、高輝度領域が設定され、室内の人と窓外の車を撮影した場合に、タイヤのような反射率の低い部分が高輝度レベルに達していなくとも、高飽和モードへ変更される。結果として、窓外の全体的な景色が違和感のない見栄えとなる。
【００５１】
尚、上記に示した処理ステップでは、高輝度レベルに達している画素で上下左右を挟まれる画素を高輝度画素であるとみなし、高飽和モードへ変更する旨の説明をした。挟まれ方としては、高輝度レベルに対している画素で上下又は左右を挟まれる画素を高飽和モードへ変更してもよい。
【００５２】
尚、閾値の設定方法については、上記に示した処理ステップの他にも以下のようなものがある。
【００５３】
イメージセンサ４０２にマトリクス状に配置された画素において、高輝度レベルに達した画素が集合している高輝度領域に対して、それを隔てる画素が集合している間隔領域があるとする。この間隔領域がマトリクス平面の縦軸方向又は横軸方向に対して一定の間隔で高輝度領域を隔てる場合には、この間隔領域の画素は、高輝度レベルに達していなくとも高飽和モードへ変更する。尚、間隔領域は高輝度領域を縦軸方向及び横軸方向に隔てていてもよい。
【００５４】
ここで、一定の間隔とは、高輝度領域のうち、縦軸方向又は横軸方向に対する幅をＸとし、間隔領域で同軸方向に対応する幅をＸ´とするとき、式１のＲ１の値が１以下である場合をいう。このとき、間隔領域を高輝度領域とみなす。Ｒ１は、好ましくは０．５であり、更に好ましくは０．２である。
【００５５】
【数１】
2018037740.tif 000003
【００５６】
これにより、高輝度領域が設定され、室内の人と窓外の車を撮影した場合に、タイヤのような反射率の低い部分が高輝度レベルに達していなくとも、高飽和モードへ迅速に変更される。結果として、窓外の全体的な景色が違和感のない見栄えとなる。
【００５７】
尚、間隔領域がドーナツ状に形成され、上下左右を全て高輝度領域に囲まれている場合は、高輝度領域のうち、上下又は左右の幅の和をＸとし、間隔領域で同方向に対応する幅をＸ´とする。式１のＲ１の値が１以下である場合に、間隔領域を高輝度領域とみなしてもよい。
【００５８】
また、間隔領域が高輝度領域に上下左右全て囲まれている場合には、高輝度領域の面積をＹとし、間隔領域の面積をＹ´とする。式２のＲ２の値が１以下である場合に、間隔領域を高輝度領域とみなしてもよい。
【００５９】
【数２】
2018037740.tif 000004
【００６０】
これにより、高飽和モードへの判定を面積比で行うことができる。例えば、室内の人と窓外の景色を撮影した場合に、窓外の景色の中に建物と建物の間の細長い隙間がある場合など、高輝度領域に挟まれている間隔領域が高輝度領域の幅より細長くても、Ｒ２の値が１以下であれば高輝度領域とみなすことができる。また、室内の人と窓外の景色を撮影した場合に、窓外の景色の幅よりも細長く且つ面積の狭い窓枠だけが光っても、Ｒ２の値が１より大きければ窓外の景色が高飽和モードへ変更されることを防ぐことができる。
【００６１】
尚、本実施形態ではユーザが室内の人と窓外の車を撮影する場面を例示したが、特許文献１のように露光時間の異なる映像を時間差で撮影する必要がないため、移動する物体等の動画撮影に対応できることは言うまでもない。
【００６２】
以上のように、本実施形態によれば、移動する物体等の動画撮影にも対応でき、且つ高輝度被写体の色バランスを損なわずにダイナミックレンジの広い画を撮影できる。
【符号の説明】
【００６３】
１０４    フローティングディフュージョン（ＦＤ）
１０５    拡張ＦＤ
１０８    フォトダイオード（ＰＤ）
【図１】
2018037740.tif 000008
【図２】
2018037740.tif 000009
【図３】
2018037740.tif 000010
【図４】
2018037740.tif 000011
【図５】
2018037740.tif 000012
【図６】
2018037740.tif 000013
【図７】
2018037740.tif 000014
【図８】
2018037740.tif 000015